(57)【要約】【課題】液体がハウジングの上面を伝って基板側へ浸入することを防ぐことが可能なコネクタを提供する。【解決手段】ハウジング２０の後面から延出した端子金具１０が基板５０に接続され、前記基板５０を覆うケーシング６０が前記ハウジング２０の上面２０Ｕ側に被せられるコネクタＣであり、前記ハウジング２０の上面２０Ｕには、前記ハウジング２０の幅方向に延びるとともにその両端が前記ハウジング２０の両側面２０Ｓに達する排水溝３７が設けられている。【選択図】図８
2015090827.tif 000002
【特許請求の範囲】
【請求項１】
ハウジングの後面から延出した端子金具が基板に接続され、前記基板を覆うケーシングが前記ハウジングの上面側に被せられるコネクタであり、
前記ハウジングの上面には、前記ハウジングの幅方向に延びるとともにその両端が前記ハウジングの両側面に達する排水溝が設けられているコネクタ。
【請求項２】
前記排水溝の底面は、前記ハウジングの幅方向における中間部から前記ハウジングの両側面に向かって下る傾斜をなしている請求項１に記載のコネクタ。
【請求項３】
前記排水溝の溝幅は、前記ハウジングと前記ケーシングとの間の隙間のうち前記基板側に形成される隙間より小さくされている請求項１または請求項２に記載のコネクタ。
【請求項４】
前記排水溝は、前後方向に複数が設けられている請求項１ないし請求項３のいずれか一項に記載のコネクタ。
【発明の詳細な説明】
【技術分野】
【０００１】
本発明は、コネクタに関する。
【背景技術】
【０００２】
従来より、基板に接続されるコネクタが知られている。例えば下記特許文献１に記載のコネクタは、ハウジングの後面から延出した端子金具が基板に接続されるものとされている。基板は、ケーシングにより覆われて、異物との接触が防がれる。コネクタは、基板の縁部に固定され、ケーシングは、基板の上面側の全体とハウジングの上面のうち基板側の部分とを覆うものとされている。
【先行技術文献】
【特許文献】
【０００３】
【特許文献１】特開２０１３−１４３２８６号公報
【発明の概要】
【発明が解決しようとする課題】
【０００４】
ところで、上記のような構成のコネクタにおいては、一般に、ケーシングとハウジングとの間の隙間から水等の液体が浸入することを防ぐため、防滴シートが被せられる。しかしながら、より防水性を高めるべく、万一この隙間に液体が入り込んだとしても、その液体がハウジングの上面を伝って基板側へ入り込んでしまうことを防ぎたいという要望があった。
【０００５】
本発明は上記のような事情に基づいて完成されたものであって、液体がハウジングの上面を伝って基板側へ浸入することを防ぐことが可能なコネクタを提供することを目的とする。
【課題を解決するための手段】
【０００６】
本発明のコネクタは、ハウジングの後面から延出した端子金具が基板に接続され、前記基板を覆うケーシングが前記ハウジングの上面側に被せられるコネクタであり、前記ハウジングの上面には、前記ハウジングの幅方向に延びるとともにその両端が前記ハウジングの両側面に達する排水溝が設けられているものである。
このような構成によれば、ハウジングの上面を伝う液体は、排水溝に入ってハウジングの側面に排水されるから、液体がハウジングの上面を伝って基板側へ浸入することを防ぐことができる。
【０００７】
また、前記排水溝の底面は、前記ハウジングの幅方向における中間部から前記ハウジングの両側面に向かって下る傾斜をなすものとしてもよい。このような構成によれば、排水溝に入った液体は、その底面の傾斜によってハウジングの側面に導かれるから、排水溝に入った液体を、ハウジングの側面にスムーズに排水することができる。
【０００８】
また、前記排水溝の溝幅は、前記ハウジングと前記ケーシングとの間の隙間のうち前記基板側に形成される隙間より小さくされているものとしてもよい。
このような構成によれば、液体は、毛細管現象により、基板側に形成される隙間よりも排水溝に入りやすいから、液体がハウジングの上面を伝って基板側へ浸入することを、より確実に防ぐことができる。
【０００９】
また、前記排水溝は、前後方向に複数が設けられているものとしてもよい。このような構成によれば、仮に、液体が、一の排水溝より基板側に到達したとしても、他の排水溝に入って排水されるから、より確実に、液体がハウジングの上面を伝って基板側へ浸入することを防ぐことができる。
【発明の効果】
【００１０】
本発明によれば、液体がハウジングの上面を伝って基板側へ浸入することを防ぐことが可能なコネクタを提供することができる。
【図面の簡単な説明】
【００１１】
【図１】本実施形態にかかるコネクタを示す斜視図
【図２】コネクタを示す正面図
【図３】コネクタを示す側面図
【図４】コネクタを示す平面図
【図５】コネクタを示す断面図であって、図４のＡ−Ａ位置における断面に相当する断面図
【図６】コネクタを示す断面図であって、図４のＢ−Ｂ位置における断面に相当する断面図
【図７】基板に接続されたコネクタにケーシングが被せられた状態を示す断面図
【図８】基板に接続されたコネクタにケーシングが被せられた状態を示す一部拡大断面図
【図９】基板に接続されたコネクタにケーシングが被せられた状態において排水溝を側方から見た状態を示す一部拡大断面図
【発明を実施するための形態】
【００１２】
＜実施形態＞
以下、本発明を具体化した一実施形態について、図１〜図９を参照しつつ詳細に説明する。
本実施形態におけるコネクタＣは、エアバック回路に接続されるエアバック用コネクタであって、図示しない相手側のコネクタに備えられたレバーを回動操作することにより、その嵌合動作および離脱動作が助勢されるレバー式のコネクタである。以下、各構成部材において、相手側との嵌合面側を前方、その反対側を後方とし、図１の上側を上方、下側を下方として説明する。
【００１３】
コネクタＣは、図１に示すように、複数の雄型の端子金具１０と、端子金具１０を保持するハウジング２０とを備えて構成されている。このコネクタＣは、図７に示すように、ハウジング２０の後面から延出した端子金具１０が、基板５０に接続される基板用コネクタであり、ハウジング２０の上面２０Ｕ側には、基板５０を覆うケーシング６０が被せられる。
【００１４】
ハウジング２０は合成樹脂材料よりなり、相手側のコネクタが個別に嵌合可能なコネクタ嵌合部２１を複数（本実施形態では３つ）備えている。各コネクタ嵌合部２１は前方に開口する形態をなし、その内部に、相手側のコネクタが緊密に嵌合される。複数のコネクタ嵌合部２１は左右方向に並んだ形態で設けられ、ハウジング２０は、全体として左右方向に長い形状をなしている。
【００１５】
端子金具１０は、導電性金属からなる角線材をＬ字状に折り曲げたものであり、各コネクタ嵌合部２１の奥壁に形成された端子挿入孔２２に圧入されて保持されている。端子挿入孔２２に圧入された端子金具１０の一端側は、コネクタ嵌合部２１の奥壁から前方へ突出し、対応する相手側の端子金具と電気的に接続可能となる。また、端子金具１０の他端側は、ハウジング２０の後面から後方に延出して下方に直角に延び、基板５０に形成された図示しないスルーホールに挿入されて、半田付け等により図示しない導電路に接続される。なお、コネクタＣは、基板５０の外縁部に接続されるものであり、コネクタＣが基板５０に接続された状態では、ハウジング２０の略全体は基板５０よりも外側に位置している。
【００１６】
ハウジング２０は、相手側コネクタとの嵌合時にレバーが収容されるレバー収容部２３を備えている。レバー収容部２３は、図２に示すように、コネクタ嵌合部２１と同数が設けられ、それぞれコネクタ嵌合部２１の上側に設けられている。レバー収容部２３とコネクタ嵌合部２１とは、隔壁２４により隔てられている。レバー収容部２３は、前方に開口する形態をなしている。なお、ハウジング２０の側面２０Ｓには、コネクタ嵌合部２１の側面とレバー収容部２３の側面との境に段差２５が形成され、レバー収容部２３の側面がコネクタ嵌合部２１の側面よりも若干外側に位置している。
各レバー収容部２３の下面および各コネクタ嵌合部２１の下面には、円柱状のカムピン２６が設けられている。
【００１７】
ハウジング２０の上面２０Ｕには、図８に示すように、ケーシング６０の外周縁に沿って下方に膨出する膨出部６１に対応して、窪み部２７が設けられている。窪み部２７は、ハウジング２０の上面２０Ｕの前端縁に沿って、ハウジング２０の全幅にわたり形成されている。
【００１８】
ハウジング２０の上面２０Ｕには、レバーに設けられたロック突起が嵌合して係止するロック孔２８が設けられている（図１参照）。ロック孔２８は、方形状をなしてハウジング２０の上面２０Ｕからレバー収容部２３に貫通する孔であり、コネクタ嵌合部２１と同数が設けられている。
【００１９】
ハウジング２０の上面２０Ｕには、複数の開口部２９が形成されている。開口部２９は、カムピン２６の後面を成形するための型抜き孔である。開口部２９は、前後方向に若干長い矩形状をなして、ハウジング２０の上面２０Ｕからレバー収容部２３に貫通している。開口部２９は、レバー収容部２３に設けられたカムピン２６と同数の３つが形成されている。
【００２０】
また、ハウジング２０の上面２０Ｕには、図４に示すように、前後方向に延びる縦溝と、左右方向に延びる横溝とが繋がった形態で形成された溜液部３１が複数（本実施形態では４個）設けられている。複数の溜液部３１は、ハウジング２０の上面２０Ｕに形成された開口部２９を境にして配されている。各溜液部３１は、少なくとも一の縦溝と、一の横溝とが繋がった形態で形成されている。各溜液部３１はそれぞれハウジング２０の側面２０Ｓまたは開口部２９に達している。
【００２１】
ハウジング２０の両側面２０Ｓには、図１に示すように、溜液部３１に溜まった液体を排水する排水部３２が設けられている。排水部３２は、溜液部３１を構成する横溝と連続して形成されている。排水部３２は、ハウジング２０の上面２０Ｕから下方に向かってまっすぐに延び、その下端は段差２５に至っている。
【００２２】
ハウジング２０の後端寄りの位置には、ハウジング２０の両側面２０Ｓおよび上面２０Ｕにわたり立設された立壁部３３が設けられている。立壁部３３のうちハウジング２０の側面２０Ｓに設けられた部分は、ケーシング６０に形成された図示しない溝に圧入される圧入部３４とされている。また、立壁部３３のうちハウジング２０の上面２０Ｕに設けられた部分は、それよりも後方への水の浸入を阻止する防水部３５とされている。防水部３５は、ハウジング２０の全幅にわたり設けられている。防水部３５の高さ寸法は、レバー収容部２３の高さ寸法と同等とされている。
【００２３】
防水部３５とレバー収容部２３との間には、図８に示すように、ケーシング６０に設けられたリブ６２が嵌合可能な嵌合凹部３６が形成されている。嵌合凹部３６は、防水部３５およびレバー収容部２３の高さ寸法と同等の深さ寸法を有するとともに、ハウジング２０の両側に開放された形態とされている。
【００２４】
コネクタＣにケーシング６０が被せられた状態では、ケーシング６０とハウジング２０との間に隙間が形成されている。この隙間のうちリブ６２の前壁面６２Ｍと嵌合凹部３６の前壁面３６Ｍとの間に形成された前後方向の隙間（以下、ハウジング２０とケーシング６０との間に形成される隙間Ｓ１と称する）と、リブ６２の後壁面６２Ｕと嵌合凹部３６の後壁面３６Ｕとの間に形成された前後方向の隙間（以下、ハウジング２０とケーシング６０との間に形成される隙間Ｓ３と称する）とは、ほぼ同じ大きさとされている。そして、リブ６２の下面６２Ｓと嵌合凹部３６の底面（突条部の上面）３６Ｓとの間における上下方向の隙間（以下、ハウジング２０とケーシング６０との間に形成される隙間Ｓ２と称する）は、ハウジング２０とケーシング６０との間に形成される隙間Ｓ１およびハウジング２０とケーシング６０との間に形成される隙間Ｓ３より大きくされている。
【００２５】
さて、ハウジング２０の上面２０Ｕには、図２に示すように、ハウジング２０の幅方向に延びるとともにその両端がハウジング２０の両側面２０Ｓに達する排水溝３７が設けられている。排水溝３７は、図５に示すように、嵌合凹部３６の底面３６Ｓに設けられ、この底面３６Ｓにおいて前後に一対が形成されている。以下、一対の排水溝３７のうち前側に位置するものを前側排水溝３７Ｍ、後側に位置するものを後側排水溝３７Ｕと称する。
【００２６】
前側排水溝３７Ｍは、嵌合凹部３６の前壁面３６Ｍ（レバー収容部２３の後壁面）に沿って直線状に延び、後側排水溝３７Ｕは、嵌合凹部３６の後壁面３６Ｕ（防水部３５の前壁面）に沿って直線状に延びている。前側排水溝３７Ｍと後側排水溝３７Ｕとは略平行をなし、また同等の溝幅（前後方向の寸法）を有している。
【００２７】
前側排水溝３７Ｍおよび後側排水溝３７Ｕの底面３８は、図６に示すように、ハウジング２０の幅方向（左右方向）の中央から、ハウジング２０の両側面２０Ｓに向かって下がる傾斜をなすテーパ形状とされている。前側排水溝３７Ｍおよび後側排水溝３７Ｕの底面３８における勾配は、中央より左側の部分と中央より右側の部分とで同等とされている。
【００２８】
前側排水溝３７Ｍと後側排水溝３７Ｕとの間には、突条部３９が形成されている。突条部３９の幅寸法（前後方向の寸法）は、リブ６２の幅寸法よりも若干大きくされている。なお、突条部３９の上面は、前側排水溝３７Ｍおよび後側排水溝３７Ｕの底面３８と略平行をなすテーパ形状とされている。
【００２９】
前側排水溝３７Ｍおよび後側排水溝３７Ｕの両端部には、図９に示すように、他の部分よりも溝幅が大きくされた拡幅部４１が設けられている。拡幅部４１は、前側排水溝３７Ｍは後側に、後側排水溝３７Ｕは前側に幅広となる形態とされている。
【００３０】
前側排水溝３７Ｍの溝幅は、液体の浸入方向に関して前側（基板５０側）に形成されるハウジング２０とケーシング６０との間に形成される隙間Ｓ２より小さくされている。また、後側排水溝３７Ｕの溝幅は、液体の浸入方向に関して前側（基板５０側）に形成されるハウジング２０とケーシング６０との間に形成される隙間Ｓ３より小さくされている。なお、前側排水溝３７Ｍの溝幅は、液体の浸入方向に関して後側（基板５０とは反対側）に形成されるハウジング２０とケーシング６０との間に形成される隙間Ｓ１より小さく、後側排水溝３７Ｕの溝幅は、同方向に関して後側に形成されるハウジング２０とケーシング６０との間に形成される隙間Ｓ２より小さくされている。
【００３１】
次に、上記のように構成された本実施形態の作用および効果について説明する。
上記のコネクタＣにおいて、万一ケーシング６０とハウジング２０との間の隙間（膨出部６１と窪み部２７との間の隙間）に液体が入り込んでハウジング２０の上面２０Ｕに付着した場合には、液体は、まず溜液部３１に落ち込み、溜液部３１を構成する縦溝および横溝の壁面を伝って溜液部３１内に広がる。溜液部３１内に広がった液体は、やがてハウジング２０の側面２０Ｓまたは開口部２９に至ってハウジング２０の外側に排出される。ハウジング２０の側面２０Ｓに至った液体は、ハウジング２０の側面２０Ｓに形成された排水部３２を伝って排出され、開口部２９に至った液体は、レバー収容部２３に排出される。ここで、レバー収容部２３とコネクタ嵌合部２１とは隔壁２４により隔てられているから、レバー収容部２３に排出された液体は、コネクタ嵌合部２１の内部に至ることなく、ハウジング２０の外側に排出される。
【００３２】
そして、仮に、ケーシング６０とハウジング２０との間の隙間に入り込んだ液体の一部が、溜液部３１の後側に到達した場合には、その液体は、やがてハウジング２０とケーシング６０との間に形成される隙間Ｓ１を下降する。そして、液体は、毛細管現象により、ハウジング２０とケーシング６０との間に形成される隙間Ｓ１の下側に位置するハウジング２０とケーシング６０との間に形成される隙間Ｓ２と前側排水溝３７Ｍとのうち、ハウジング２０とケーシング６０との間に形成される隙間Ｓ２よりも溝幅が狭い前側排水溝３７Ｍに入り込む。前側排水溝３７Ｍに入り込んだ液体は、その底面３８の傾斜によってハウジング２０の側面２０Ｓにスムーズに導かれ、ハウジング２０の外側に排出される。
【００３３】
また、仮に、ハウジング２０とケーシング６０との間に形成される隙間Ｓ１を下降した液体の一部が、ハウジング２０とケーシング６０との間に形成される隙間Ｓ２に到達した場合には、液体は、毛細管現象により、ハウジング２０とケーシング６０との間に形成される隙間Ｓ２の後側に位置するハウジング２０とケーシング６０との間に形成される隙間Ｓ３と後側排水溝３７Ｕとのうちハウジング２０とケーシング６０との間に形成される隙間Ｓ３よりも溝幅が狭い後側排水溝３７Ｕに入り込む。後側排水溝３７Ｕに入り込んだ液体は、その底面３８の傾斜によってハウジング２０の側面２０Ｓにスムーズに導かれ、ハウジング２０の外側に排出される。
【００３４】
さらに、後側排水溝３７Ｕの後側には、防水部３５が立ち上がっているから、液体は、確実に防水部３５よりも前側に留められ、後側排水溝３７Ｕによりハウジング２０の外部に排出される。
【００３５】
上記のように構成された本実施形態によれば、以下の効果を奏する。
本実施形態のコネクタＣは、ハウジング２０から延出した端子金具１０が基板５０に接続され、基板５０を覆うケーシング６０がハウジング２０の上面２０Ｕ側に被せられるものであり、ハウジング２０の上面２０Ｕには、ハウジング２０の幅方向に延びるとともにその両端がハウジング２０の両側面２０Ｓに達する前側排水溝３７Ｍおよび後側排水溝３７Ｕが設けられている。
これにより、ハウジング２０の上面２０Ｕを伝う液体は、前側排水溝３７Ｍまたは後側排水溝３７Ｕに入ってハウジング２０の側面２０Ｓに排水されるから、液体がハウジング２０の上面２０Ｕを伝って基板５０側へ浸入することを防ぐことができる。
【００３６】
また、前側排水溝３７Ｍおよび後側排水溝３７Ｕの底面３８は、ハウジング２０の幅方向における中間部からハウジング２０の両側面２０Ｓに向かって下る傾斜をなしている。これにより、前側排水溝３７Ｍまたは後側排水溝３７Ｕに入った液体は、その底面３８の傾斜によってハウジング２０の側面２０Ｓに導かれるから、前側排水溝３７Ｍまたは後側排水溝３７Ｕに入った液体を、ハウジング２０の側面２０Ｓにスムーズに排水することができる。
【００３７】
また、前側排水溝３７Ｍおよび後側排水溝３７Ｕの溝幅は、それぞれの基板５０側に形成されるハウジング２０とケーシング６０との間に形成される隙間Ｓ２およびハウジング２０とケーシング６０との間に形成される隙間Ｓ３より小さくされている。これにより、液体は、それぞれの基板５０側に形成されるハウジング２０とケーシング６０との間に形成される隙間Ｓ２およびハウジング２０とケーシング６０との間に形成される隙間Ｓ３よりも、両排水溝３７Ｍ，３７Ｕに入りやすいから、液体がハウジング２０の上面２０Ｕを伝って基板５０側へ浸入することを、より確実に防ぐことができる。
【００３８】
また、排水溝３７は、前後方向に２本が設けられている。これにより、仮に、液体が、排水溝３７のうち前側に位置する前側排水溝３７Ｍより基板５０側に到達したとしても、その後側に位置する後側排水溝３７Ｕに入って排水されるから、より確実に、液体がハウジング２０の上面２０Ｕを伝って基板５０側へ浸入することを防ぐことができる。
【００３９】
＜他の実施形態＞
本発明は上記記述及び図面によって説明した実施形態に限定されるものではなく、例えば次のような実施形態も本発明の技術的範囲に含まれる。
（１）上記実施形態では、前側排水溝３７Ｍおよび後側排水溝３７Ｕの底面３８は、ハウジング２０の幅方向における中央からハウジング２０の両側面２０Ｓに向かって下る傾斜をなしているが、これに限らず、例えばハウジングの幅方向における中央よりも一端側に寄った位置からハウジングの両側面に向かって下る傾斜をなすものとしてもよい。
（２）上記実施形態では、本発明を、ハウジング２０の嵌合凹部３６にケーシング６０のリブ６２が嵌合する形態のコネクタＣに適用した例を示したが、これに限らず、本発明は、例えばハウジングの上面が嵌合凹部のない平坦な面であってケーシングのリブが嵌合しない形態のコネクタにも適用することができる。
（３）上記実施形態では、排水溝３７は、前後方向に２本が設けられているが、これに限らず、排水溝は１本のみ、または３本以上設けられていてもよい。
【符号の説明】
【００４０】
Ｃ…コネクタ
Ｓ２…ハウジングとケーシングとの間に形成される隙間
Ｓ３…ハウジングとケーシングとの間に形成される隙間
１０…端子金具
２０…ハウジング
２０Ｓ…ハウジングの側面
２０Ｕ…ハウジングの上面
３７…排水溝
３７Ｍ…前側排水溝
３７Ｕ…後側排水溝
３８…底面
５０…基板
６０…ケーシング
【図１】
2015090827.tif 000003
【図２】
2015090827.tif 000004
【図３】
2015090827.tif 000005
【図４】
2015090827.tif 000006
【図５】
2015090827.tif 000007
【図６】
2015090827.tif 000008
【図７】
2015090827.tif 000009
【図８】
2015090827.tif 000010
【図９】
2015090827.tif 000011